(57)【要約】【課題】水中、空中観覧を行い得るものでありながら、敷設工事が容易であり、且つ、都会のビル街或いは砂漠地帯などの所望の場所に敷設することができる空中及び擬似水中観覧装置を提供すること。【解決手段】観覧車１を設けた観覧装置であって、前記観覧車１の回転軌跡の略下方半分の周囲に、魚類を収容した水槽５を配置し、該水槽５の少なくとも前記観覧車１に面した内壁を透明部材５ａで構成した。【選択図】図１
2010104745.tif 000002
【特許請求の範囲】
【請求項１】
基礎に支持脚２を立設し、該支持脚２に、回転軸３を中心に回転する観覧車１を設けた観覧装置であって、
前記観覧車１の回転軌跡の略下方半分の周囲に、魚類を収容した水槽５を配置し、
該水槽５の少なくとも前記観覧車１に面した内壁５ａを透明部材で構成してある、
ことを特徴とする空中及び擬似水中観覧装置。
【請求項２】
前記水槽５が、平面視において、少なくとも２つのブロック５Ａ，５Ｂで構成され、これらが独立して又は相互に連結して設けられる、ことを特徴とする請求項１に記載の空中及び擬似水中観覧装置。
【請求項３】
前記水槽５の外壁５ｂが不透明部材で構成されている、ことを特徴とする請求項１から請求項３の何れか１項に記載の空中及び擬似水中観覧装置。
【請求項４】
前記水槽５の外壁５ｂが、外界から見えないように自然物又は人工構築物により被覆されている、ことを特徴とする請求項１から請求項３の何れか１項に記載の空中及び擬似水中観覧装置。
【請求項５】
前記水槽５の少なくとも外壁５ｂの内面が鏡面に構成されている、ことを特徴とする請求項１から請求項４の何れか１項に記載の空中及び擬似水中観覧装置。
【請求項６】
前記水槽５が、海水魚類遊泳ブロック５Ａと淡水魚類遊泳ブロック５Ｂとに区画されている、ことを特徴とする請求項３から請求項５の何れか１項に記載の空中及び擬似水中観覧装置。
【請求項７】
前記観覧車１に対する昇降部が、前記回転軸３の横方向位置で、且つ、上昇側に設けられている、ことを特徴とする請求項１から請求項６の何れか１項に記載の空中及び擬似水中観覧装置。
【請求項８】
前記観覧車１の前記水槽５の上方に位置する、上下移動方向成分が大きな位置に対して乗降用ステップ６が臨まされて設けられ、該乗降用ステップ６が、前記観覧車１の回転速度に同期する速度で、その回転方向に向けて所定の回転角の分、上方向に上昇され、且つ、任意の速度で下降でるように構成されている、ことを特徴とする請求項１から請求項６の何れか１項に記載の空中及び擬似水中観覧装置。
【請求項９】
前記水槽５の内部を照射する照明器具１６が複数基設けられている、ことを特徴とする請求項１から請求項８の何れか１項に記載の空中及び擬似水中観覧装置。
【請求項１０】
前記観覧車１のゴンドラ４に、音響機器１８が備えられている、ことを特徴とする請求項１から請求項９の何れか１項に記載の空中及び擬似水中観覧装置。
【発明の詳細な説明】
【技術分野】
【０００１】  本発明は、遊園地、テーマパークは勿論、集客を必要とする施設、例えば、ホテル、商業施設等に設置する空中及び擬似水中観覧装置に関する。
【背景技術】
【０００２】  観覧車は、大円形のホイールに多数のゴンドラを係留し、高い位置からの景観を楽しむためのものであり、種々のタイプのものが敷設され、運転されているが、最近は、空中での景観を楽しむだけでなく、同時に連続して水中の景観（海洋生物）も楽しむことができればよいとの考えから、そうした水中専用、或いは水中、空中両用観覧車が提案され、遊園地の人造池、海洋パークの海岸等に設置されることが考えられている。【０００３】  こうした水中、空中観覧車しては、例えば、次のものが挙げられる。
【特許文献１】特開平０７−７５６９０。
【特許文献２】特開平０５−１５４２５６。
【０００４】  従来の水中、空中観覧車として、一つの形態は、ゴンドラを密封構造として水中を移動させる方式（特許文献２）があり、もう一つは、ゴンドラは通常の空中用観覧車と同じ構造として、そのゴンドラの移動軌跡の全体を覆うカバーを設ける方式（特許文献１）があった。【０００５】  上記ゴンドラを密封構造とする方式は、比較的緩やかに回転する大径のホイールが１回転して昇降位置に戻るには長時間となり、少なくとも水中を移動している間には酸素を供給する装置を備える必要があり、装備が高くつくと共にランニングコストもかかり、また、酸素濃度が高まれば、危険でもある。【０００６】  他方、ゴンドラの移動軌跡の全体を覆うカバーを設ける方式（特許文献１）は、ドーナツ形の円筒状内をゴンドラが移動する構造となっているが、このような構成では、万一、事故が発生して観覧車が停止した場合、ドーナツ形の円筒状ではゴンドラが邪魔になって脱出の通路が容易に確保できないという問題があり、また、水中部分においてカバーが破損して浸水した場合には、ゴンドラから脱出できても、円筒状内が水没するので一層危険であるし、空中においても円筒状内を移動することになると、円筒状体が透明な素材で構成されていてもゴンドラと二重の覆い状態となり、閉塞感が生まれ、開放感を伴う観覧が出来難くなるという問題もある。【０００７】  そこで、本発明者は、上述した問題を解消するべくケーシングを観覧車とは別に敷設することによって、ゴンドラを気密に構成することなく、また、万一事故で観覧車が停止する事態が発生しても容易に脱出が可能な水中、空中観覧装置を提供することを提案した。
【特許文献３】特開２００８−１０００７２。
【０００８】  この発明は、上方が開口され、透明な素材により構成したケーシング５を水中から水上にかけて配置し、前記観覧車１を水中から隔離した状態で運転できるように構成したものである。
【発明の開示】
【発明が解決しようとする課題】
【０００９】  上述の発明は、それまでの水中、空中観覧装置の問題点を解消している点で優れたものであったが、水中にケーシングを敷設するための大掛かりな工事（止水、ケーソン工法等）が必要であり、非常にコストがかかるという問題があった。【００１０】  更に、従来と同様に、海、河川、湖などに構築するものであるので、地震等万一の場合に、そのケーシングが破損すると、周囲の水（海水）が際限なく観覧車に流れ込んできて、非常に危険であるという問題は依然として残っていた。
そして、その観覧車の敷設は、海、河川、湖などの水（海水）が存在する地域に限定される。従って、商業施設にある都会のビル街、或いは砂漠地帯などのリゾートホテル等といった任意の場所に設けることはできないものであった。
また、自然の海、河川、湖では、確実に魚類の遊泳が楽しめるという保証がなく、水中観覧としての演出効果に問題があった。【００１１】  本発明は、水中、空中観覧を行い得るものでありながら、敷設工事が容易であり、且つ、都会のビル街或いは砂漠地帯などの所望の場所に敷設することができる空中及び擬似水中観覧装置を提供することを目的とする。
【課題を解決するための手段】
【００１２】  本発明にかかる空中及び擬似水中観覧装置は、上記目的を達成するために、
基礎に支持脚２を立設し、該支持脚２に、回転軸３を中心に回転する観覧車１を設けた観覧装置であって、
前記観覧車１の回転軌跡の略下方半分の周囲に、魚類を収容した水槽５を配置し、
該水槽５の少なくとも前記観覧車１に面した内壁５ａを透明部材で構成してある、
ことを特徴とする。【００１３】  本発明に言う支持脚２を立設する基礎とは、地面は勿論、ビル等の構築物を含む。
本発明に言う観覧車とは、多数のゴンドラが吊り下げられた従来公知の観覧車の全てを含む。しかし、回転軸３は、１軸でも、２軸でもよく、観覧車１は大径のホイールの形状をなさずに、コンベア形式の楕円、長円軌跡でゴンドラが回転移動されるものも含む。
本発明に言う水槽とは、水或いは海水又はその両方を収容できる構造物を言う。そして、この水槽５の形状（平面視）は、矩形でも、長円形で、楕円でも、競技場のようなトラック形等でもよく、また、支柱を避けてゴンドラに近接させるために部分的に変形した側面形状を備えていてもよく、その正面視についても、矩形など、適宜の形状を採ることができる。また、透明部材としては、強化ガラス、強化プラスチック等、強度のある透明素材であればよい。そして、水槽は、一つの領域（例えば海水のみ）としても、或いは複数の領域（淡水、海水、或いは何も液体が充填されていない領域：岩礁などの人口物のみ配置された領域）に区画してもよいものである。
本発明に言う回転軌跡の略下方半分とは、回転軸３を通る水平線から下方の範囲の領域内を示すが、回転軌跡の半分程度のものも含まれる。
【発明の効果】
【００１４】  本発明によれば、止水やケーソン工法といった大掛かりでコストのかかる敷設工事が必要でなく、水槽敷設という簡単な工事で実施可能であり、従って、新規の観覧車設置は勿論のこと、既設の観覧車に対しても改良工事だけて実施可能であると供に都会のビル屋上或いは砂漠地帯等の所望の場所、例えば、リゾートホテル等に容易に敷設することができ、水に縁のない場所にあっても空中観覧を楽しむことができながら、同時に水中観覧を擬似体験することが出来るのである。そして、擬似水中観覧に際しては、水槽に魚類を遊泳させるものであるので、従前の自然遊泳を待つといった不確実なものではなく、恰も水族館にいるように、確実に魚類等の遊泳を楽しむことが可能である。
また、万一、水槽が破損する事態が発生しても、限られた水量が水槽の周囲に拡散するだけであるので、従来の自然河川、海のように際限なく水が観覧車の方に流れ込むという虞は無く、水難としての危険は未然に回避される利点もある。
【発明を実施するための最良の形態】
【００１５】  本発明において、前記水槽５が、平面視において、少なくとも２つのブロック５Ａ，５Ｂで構成され、これらが独立して（平面視馬蹄形のものを支柱に対応する部分で間隔を隔てて向い合わせる）又は相互に連結して設けられるのが好ましい。
このように、水槽５を区画することで、構造的に簡単な構造物とすることができて（２個であれば、例えば、平面視Ｊ字形或いはＬ字形を成したものを連結し、４個であれば、単純な４個の直立方を連結した集合構造物とする等）、製造、搬送及び敷設が容易である。
そして、分割した状態で輸送し、既設の観覧車に対しても、その周囲から近接させて容易に組み立てることができる。【００１６】  また、前記水槽５の外壁５ｂが不透明部材で構成されていることが好ましい。
このように水槽５の外壁５ｂが不透明部材で構成されることで、観覧社のゴンドラの搭乗者は、水槽５の外壁５ｂの外側（景色）を見ることはなく、水中を見ることに集中できて、擬似水中体験をリアルなものとすることができる。
勿論、水槽５の外壁５ｂは、その一部を不透明部材とし、透明部材を併用するようにしてもよい。【００１７】  更に、前記水槽５の外壁５ｂが、外界から見えないように自然物又は人工構築物により被覆されているのが好ましい。
このように構成することで、観覧車への搭乗に先立って予め水槽５を外側から見ることはないので、水中観覧のリアリティを予測しない状態で水中観覧を体験することができて、それが擬似体験であっても、そのリアリティを増すことができる。
例えば、自然物として、木立（常緑樹が好ましい）、花壇、人口丘陵等を水槽５の周囲に配置したり、人工構築物として、ビルの壁面、遊戯施設等で覆うことで、外方から水槽５を見えないようにしてよい。【００１８】  また、前記水槽５の少なくとも外壁５ｂの内面が鏡面に構成されていることが好ましい。
このように、構成することで、水槽５の奥行を短いものに設計しても、鏡面に映る魚類等によって奥行が出て、水中体感を増加し、リアリティを向上させることができる。
上述の鏡面は、コンクリートの外壁に鏡（ガラス＋水銀蒸着）を敷設しても、外壁を金属板とし、その金属の鏡面加工を施してよく、或いは光を反射する素材（アルミ箔など）を敷設して構成さするようにしてもよい。また、水槽５の外壁５ｂは、平面視で観覧車１と平行な面とする他、平面視で、例えば、くの字形、円弧状、波形等、視覚的に奥行を体感でき易い形状とするのがよい。【００１９】  更に、前記水槽５が、海水魚類遊泳ブロック５Ａと淡水魚類遊泳ブロック５Ｂとに区画されているのが好ましい。
このように、水槽５を、構造的に分割構成するのを利用して、ここに遊泳させる魚類等を、淡水、海水に分けると、その水中景色を２通り楽しめる。
尚、淡水、海水魚類遊泳ブロックが、夫々複数になる場合は、夫々は、相互に通行自在に連結することが好ましい（例えば、パイプ状トンネル等）。【００２０】  また、前記観覧車１に対する昇降部が、前記回転軸３の横方向位置で、且つ、上昇側に設けられているのが好ましい。
このように構成することで、搭乗者は、最初に、従前に経験している空中の観覧を行い、その後に、未体験の擬似水中観覧を行うことができて、意外性の効果を高めることができる。【００２１】  更に、前記観覧車１の前記水槽５の上方に位置する、上下移動方向成分が大きな位置に対して乗降用ステップ６が臨まされて設けられ、該乗降用ステップ６が、前記観覧車１の回転速度に同期する速度で、その回転方向に向けて所定の回転角の分、上方向に上昇され、且つ、任意の速度で下降できるように構成されているのが好ましい。
このように構成することで、上下移動方向成分が大きな位置、即ち、略横方向位置での乗降が容易に行い得る利点がある。【００２２】  また、前記水槽５の内部を照射する照明器具１６が複数基設けられているのが好ましい。
このように照明器具１６を設けることで、曇りの日、夕方、夜間においても、水中を十分に明るく照射できて、擬似水中観覧を楽しむことができる。同時に、照明による演出効果を付加できる。従って、照明として、有色の光、更には、レーザー光線が含まれる。【００２３】  前記観覧車１のゴンドラ４に、音響機器１８が備えられているのが好ましい。
前記音響機器１８を備えることで、搭乗者が所望の音楽を聞きながら空中、水中観覧を楽しむことが出来る。
例えば、音響機器１８は音声の再生機器として、外部から音楽等の信号（有線、無線）を流し、例えば、空中観覧と擬似水中観覧とで、異なる音楽、音響効果、魚類に関するガイダンス等を提供することができる。
また、音響機器１８として、外部からではなく、各ゴンドラ４毎に、搭乗者が所望の音楽、音響音を選択し、再生させるに必要な機器を搭載するようにしてもよい。
【実施例】
【００２４】  本発明にかかる空中、擬似水中観覧装置の好適実施例を、各図面に基づいて以下詳述する。図２は、図１における自然物（木立）及び水槽を除去した状態を示す。空中、擬似水中観覧装置を、例えば、砂漠地帯のオアシスのリゾートホテルに敷設した実施例として説明する。このような水（海）に恵まれない立地条件で、空中、擬似水中観覧を行い得ることは大きな演出効果を発揮することになる。【００２５】  図１及び図２に示すように、基礎構造物１９に支持脚２（スチール構造物）を立設し、該支持脚２に回転軸３を中心に回転する観覧車１を設ける。この観覧車１は、電動モーターにより駆動されて、大径のホイール（例えば、ここでは直径８０ｍ）に多数のゴンドラ４を枢支連結して垂下させて低速回転させる構成であり、一般に地上敷設される従前の公知の構造の観覧車と実質的に同じ構成のものである。依って、ここではその詳細説明を省く。【００２６】  そして、前記観覧車１の回転軌跡の略下方半分の周囲に、魚類を収容した水槽５を配置している。
この水槽５は、ここでは、底部からの高さが３８ｍ、平面視で、その長辺の長さが約４４ｍ、短辺の長さ（幅）が約５ｍとし、前記観覧車１のゴンドラ４が移動する軌跡に対して、０．５ｍ乃至１ｍの間隔を備えるように、平面視で二重の長円形（トラック形）が形成される構造とされ、その内部に水（海水）が充填されている。水槽５の幅は、ここでは、１ｍという狭い幅に設定され、充填される水量を出来るだけ少なくして、構造的に製作容易なものとしている。勿論、水槽５の幅は、設計的事項であり、構造的に許される範囲（水量荷重）で所望の幅を設定してよい。【００２７】  この水槽５の内部には、後に詳述するが、魚類（魚、亀等の海中生物：或いは淡水生物）を遊泳させ、且つ、岩礁、海洋植物、河川構成物等が配置されている。
そして、該水槽５の前記観覧車１に面した内壁５ａを透明部材、ここでは、透明な強化ガラスで構成し、外壁５ｂは、たとえば、海洋に適合した内装を施した鉄筋コンクリートで構成している。勿論、ガラスに代えて透明（半透明を含む）の強化プラスチックを用いてよい。【００２８】  また、図３及び図４に示すように、前記水槽５が、平面視において、２個のブロック５Ａ，５Ｂに区画（内壁５ａ，外壁５ｂ及びコンクリートの底壁５ｃ）され、これらのブロック５Ａ，５Ｂがボルト１１（外壁５ｂ及び底壁５ｃ）でもって連結され，内壁５ａは、透明樹脂による接合５ｅがなされている。【００２９】  そして、ここでは、隣接するブロック５Ａ，５Ｂは、平面視Ｊ字形を成すように構成され、向かい合わせで長円形（トラック形）をなすように相互に連結されている。そして、水槽５の上部は、被覆体５ｄにより被覆され、魚類の飛び出しを阻止（また、上方から、ゴミ、落ち葉等が入り込まないようにする）できるようにしており、この被覆体５ｄには外気に通じる通気孔が設けられている。この被覆体５ｄは、ここでは光半透過性の樹脂材で構成しているが、非透過性の金属板でもよく、或いは、ネット状体でもよい。【００３０】  これらの一対のブロック５Ａ，５Ｂは、ここでは、区画壁はなく、一つの領域を慶し海水魚類を遊泳させ、その内部には、海洋直物、岩礁などの海底構造物が配置されている。勿論、両ブロック５Ａ，５Ｂを二つの領域に区画し、トンネル通路で連結して海水魚類を相互往来自在に遊泳させるように構成してもよい。ここでは、図示省略するが、それぞれのブロック内で海水（淡水）を、ポンプを用いて循環させ、また、エアーを送り込んで、魚類に対する酸素供給が円滑に行われるようにしている。【００３１】  前記水槽５の外壁５ｂ、即ち、ブロック５Ａ，５Ｂの外壁５ｂは、不透明部材、ここでは、鏡を敷設した鉄筋コンクリートで構成されている。
この鏡敷設部分は、遊泳する魚類を映し、結果として、水槽５の内部に広がりを持たせる演出効果を発揮する。これによって、水槽５の幅（平面視）が１ｍ程度であっても、観覧車１のゴンドラ４から見たときに、大きな水槽５であるように感じられ、擬似水中観覧のリアリティを増加させることができる。【００３２】  更に、前記水槽５の外壁５ｂが、外界から見えないように自然物又は人工構築物により被覆されている。
ここでは、図１にように、自然物として、仮想線で示す木立（常緑樹が好ましい）が配置され、これによって外側から水槽５が見えないように工夫され、搭乗するまで擬似水中観覧がリアルにイメージできない状態で観覧車１に搭乗し、空中観覧から予想外となる擬似水中観覧により、演出効果を高めるようにしている。勿論、前記水槽５の外壁５ｂが、人工構築物、例えば、遊戯施設、ホテル等の構造物の一部により隠されるように構成されてもよい。【００３３】  また、図１及び図５に示すように、前記観覧車１に対する昇降部が、前記回転軸３の横方向位置で、且つ、上昇側に設けられている。
即ち、前記観覧車１の前記水槽５の上方に位置する、上下移動方向成分が大きな位置に対して乗降用ステップ６が臨まされて設けられ、該乗降用ステップ６が、前記観覧車１の回転速度に同期する速度で、その回転方向に向けて所定の回転角の分、上方向に上昇され、且つ、任意の速度で下降でるように構成されている。【００３４】  一般の観覧車の場合には、最下端位置において、そのホイールの接線方向の移動（水平）に所定の時間（６〜１０秒）が確保できるので、その実質的に水平移動する間に搭乗者は容易に乗降可能なのであるが、半分が水中に位置される場合では、ゴンドラ４への乗降は水槽５の水面位置近傍（勿論、水底位置からの昇降でも差し支えない）ということになり、ここでは、ゴンドラ４は上方向（正面視で右回転）の移動ということになり、搭乗者が上下の方向に移動しながら乗降するということは実際上無理である。【００３５】  このために、この実施例では、上記乗降用ステップ６が、油圧シリンダー１３Ａを用いて上下に、前記観覧車１の回転速度に同期する速度で、その回転方向に向けて所定の回転角の分、上昇されるように、乗降機構１３が設けられている。この乗降用ステップ６の原位置への下降は、別途早い速度で行われる。この下降位置において、搭乗者が乗車用ステップ６に載り、所定のゴンドラ４が到来したときに油圧操作によって、乗降用ステップ６が観覧車１の回転速度と同期した速度で所定高さ分上昇する。この間、ゴンドラ４と搭乗者との間に相対変位はないので、乗降が容易に行われる。図中、１４は、前記乗降用ステップ６と外部の固定通路１５とを繋ぐ伸縮スロープであり、多数の床部材がチェーン連結されていて、乗降用ステップ６の昇降に追従できる構成とされている。勿論、伸縮スロープ１４を無くし、乗降用ステップ６が下降したときに、外部廊下等に移動する形態を採っても良いものである。尚、上記のような乗降機構１３は、油圧シリンダー１３Ａの他に、スクリュー軸、歯車を用いる等の機械的手段（昇降の速度制御が容易）で行うようにしてもよい。
また、この際、乗降用ステップ６をゴンドラ４の両側からの乗降に合わせ、ゴンドラ４の両側に個別に設置し、回転軸３の真横の位置よりも下方において乗客が降り、上方において乗り込むことができるようにし、個別に昇降駆動するように構成してもよい。【００３６】  また、上記の乗降用ステップ６には、エレベータ７を用いて地上から到達する。図１中、７Ａは、その昇降口である。このエレベータ７は、一般のビル等に敷設されるタイプのものでよく、この観覧車１が、ホテルなどの構築物に隣接される場合であれば、そのホテルのエレベータの一部を兼用して利用するようにすればよい。
図中、７Ｃは、必要に応じて、観覧車１の底部からの昇降を行うときに、底部を歩行し、前記エレベータ７により昇降できるようにするための通路（トンネル形態）を示す。【００３７】  更に、図２に示すように、前記水槽５の内部を照射する照明器具１６（ライト）が、ここでは、前記支持脚２に複数基設けられている。
この照明器具１６（ライト）の設置箇所としては、支持脚２以外に、水槽５自体に設けるなど、何れの箇所に設けてもよい。
このように、照明器具１６（有色のライト）によるイルミネーション効果で、水中を彩り、演出効果を高めるようにしている。
勿論、曇り空、夜等、光の差込が弱い（無い）場合にも、水中を照射して、魚類の遊泳を目視し易いようにすることができる。【００３８】  また、前記観覧車１のゴンドラ４に、音響機器１８が備えられている。ここでは、音の再生機器（スピーカー）が備えられ、外部から、好ましい音響音乃至音楽を流すようにしている。この際、一般ガイダンス、或いは景観に関するナレーションを放送できるようにしてもよい。【００３９】  次いで、水槽５の形態の一部変形例を示す。以下の説明において言及していない構造部分については、上述の水槽５と同じである。
図６及び図７に示すのは、前記水槽５が、平面視において、複数のブロック５Ａ，５Ｂ，５Ｃ，５Ｄに区画され、これらのブロック５Ａ，５Ｂ，５Ｃ，５Ｄがボルト１１でもって連結されて構成されているものである。勿論、各ブロック５Ａ，５Ｂ，５Ｃ，５Ｄの内壁５ａは、透明部材で構成されているので、この部分については、ボルトでなく透明な樹脂乃至樹脂パッキングを介在させて連結される。【００４０】  ここでは、観覧車１の側面に位置される大きなブロック５Ａ，５Ｃと、観覧車１の周面に位置される小さな大きなブロック５Ｂ，５Ｄをボルト１１でもって平面視Ｌ字形を成すように相互に連結し、且つ、平面視で二重の長方形が形成されるように構成されている。この二重の長方形の平面視における幅、即ち、水槽５の幅は、ここでは、１ｍという狭い幅に設定され、充填される水量を出来るだけ少なくして、構造的に製作容易なものとしている。勿論、水槽５の幅は、設計的事項であり、構造的に許される範囲（水量荷重）で所望の幅を設定してよい。【００４１】  そして、ここでは、隣接するブロック５Ａ，５Ｂが、平面視Ｌ字形を成すように、相互に連結され、他方の隣接するブロック５Ｃ，５Ｄも平面視Ｌ字形を成すように相互に連結され、ブロック５Ａ，５Ｂが一対のトンネル通路２０Ａ（ここでは上下位置配置）により、ブロック５Ｃ，５Ｄが一対のトンネル通路２０Ｂ（ここでは上下位置配置）により、相互往来自在になるように区画構成されている。そして、ブロック５Ａ，５Ｂ，５Ｃ，５Ｄは、それぞれ、前記基礎構造物１９にアンカーボルト１１Ａでもって固定される。勿論、前記ブロック５Ａ，５Ｂ，５Ｃ，５Ｄを、それぞれ個別に構成し、トンネル通路を介在させて、相互に連結するようにしてもよい。【００４２】  これらの一対のブロック５Ａ，５Ｂには、海水魚類を、他方のブロック５Ｃ，５Ｄには淡水魚類を遊泳させ、その内部には、海洋直物、岩礁などの海底構造物、山水の景観を取り込む構造物（河床、滝）が配置されている。勿論、両ブロック５Ａ，５Ｂ，５Ｃ，５Ｄの全てをトンネル通路２０Ａ，２０Ｂで連結し、全て海水魚類だけを相互往来自在に遊泳させるように構成してもよい。ここでは、図示省略するが、それぞれのブロック内で海水（淡水）を、ポンプを用いて循環させ、また、エアーを送り込んで、魚類に対する酸素供給が円滑に行われるようにしている。
【産業上の利用可能性】
【００４３】  本発明にかかる空中、擬似水中観覧装置は、自然河川、湖、海に関係なく、所望の立地条件下において実施可能であり、水に縁の少ない、砂漠地帯のリゾート地等にも敷設でき、その実施範囲は広いものである。
【図面の簡単な説明】
【００４４】
【図１】本発明に係る空中、擬似水中観覧装置の正面図である。
【図２】本発明に係る空中、擬似水中観覧装置を被服する自然物及び水槽を除去した正面図である。
【図３】本発明に係る空中、擬似水中観覧装置の水槽を示す斜視図である。
【図４】本発明に係る空中、擬似水中観覧装置の水槽を示す図３のＡ−Ａ矢視断面図である。
【図５】本発明に係る空中、擬似水中観覧装置の乗降機構の概略正面図である。
【図６】本発明に係る空中、擬似水中観覧装置の水槽の別態様を示す斜視図である。
【図７】本発明に係る空中、擬似水中観覧装置の水槽の別態様を示す組み立て分解、平面図である。
【符号の説明】
【００４５】  １：観覧車
２：支持脚
３：回転軸
４：ゴンドラ
５：水槽
５ａ：内壁
５ｂ：外壁
【図１】
2010104745.tif 000003
【図２】
2010104745.tif 000004
【図３】
2010104745.tif 000005
【図４】
2010104745.tif 000006
【図５】
2010104745.tif 000007
【図６】
2010104745.tif 000008
【図７】
2010104745.tif 000009